(57)【要約】【課題】  一度で複数のパイプを針山に差込むことができるようにして、作業効率を向上させるとともに、針山に対する支持を安定させることができるようにする。【解決手段】  台座１の上面に複数の針２を突設させた針山３が備えられた剣山Ｋの当該針山３に差込まれ、花材Ｆの役枝Ｆａが挿入されるパイプ１０を有し、このパイプ１０により役枝Ｆａを保持するもので、パイプ１０を複数本用い、各パイプ１０をその軸を平行にして可撓性部材としてのシートに列設して付着させ、パイプ１０の下端１３を同一平面上に位置させ、上端１４が斜面状になるように各パイプ１０の長さを異ならせた。【選択図】  図１
2008125735.tif 000002
【特許請求の範囲】
【請求項１】
台座の上面に複数の針を突設させた針山が備えられた剣山の当該針山に差込まれ、花材の役枝が挿入されるパイプを有し、該パイプにより役枝を保持する生け花用役枝保持具において、
上記パイプを複数本用い、各パイプをその軸を平行にして集合させたことを特徴とする生け花用役枝保持具。
【請求項２】
上記パイプを、融着，接着，一体成形，連結部材による連結，結束の少なくともいずれかにより集合させたことを特徴とする請求項１記載の生け花用役枝保持具。
【請求項３】
上記パイプを、可撓性部材を介して列設したことを特徴とする請求項１又は２記載の生け花用役枝保持具。
【請求項４】
各パイプを可撓性のシートに付着させ、該シートを可撓性部材として構成したことを特徴とする請求項３記載の生け花用役枝保持具。
【請求項５】
上記パイプの下端を同一平面上に位置させ、上端が斜面状になるように各パイプの長さを異ならせたことを特徴とする請求項３又は４記載の生け花用役枝保持具。
【請求項６】
上記パイプを、蜂の巣状に集合させたことを特徴とする請求項１記載の生け花用役枝保持具。
【請求項７】
特定のパイプの下端を他のパイプの下端より下側に突出形成したことを特徴とする請求項１乃至６何れかに記載の生け花用役枝保持具。
【請求項８】
上記パイプの孔径Ｄを、上記針山の針の外径より大きくかつ４本以下の針に差込まれる大きさに設定したことを特徴とする請求項１乃至７いずれかに記載の生け花用役枝保持具。
【請求項９】
上記パイプの孔径Ｄを３ｍｍ≦Ｄ≦１５ｍｍにしたことを特徴とする請求項８記載の生け花用役枝保持具。
【請求項１０】
上記パイプを、プラスチックで形成したことを特徴とする請求項１乃至９いずれかに記載の生け花用役枝保持具。
【発明の詳細な説明】
【技術分野】
【０００１】
本発明は、生け花に用いられる剣山に差込まれ、生け花の形を形成する役枝を保持する生け花用役枝保持具に関する。
【背景技術】
【０００２】
一般に、生け花は、例えば、花器に剣山を置いて水を張り、この剣山に花材の役枝を固定して行なう。図１２に示すように、一般に、剣山Ｋは、台座１の上面に複数の針２を突設させた針山３が備えられて構成されている。
ところで、近年、花材Ｆとして、野草を生けることも盛んに行なわれるが、野草の場合は、比較的その役枝Ｆａが細いものが多く、そのため、花材Ｆの細い役枝Ｆａを剣山Ｋの針山３に刺し込んで保持するのは、非常に困難であり、役枝Ｆａが剣山Ｋより抜け出したり倒れたりしてしてしまう欠点がある。
【０００３】
このような欠点を解消するため、従来、例えば、図１２に示すような生け花用役枝保持具が知られている（実用新案登録第３０７３９９５号公報掲載）。
この生け花用役枝保持具Ｈａは、可撓性の樹脂製パイプ４で構成されている。そして、生け花を行なうときは、パイプ４を数本用い、各々を剣山Ｋの針山３の針２間に差込み、このパイプ４に花材Ｆの細い役枝Ｆａを差し込んで、役枝Ｆａをパイプ４の内面と針２との間に挟んで固定し、適宜、パイプ４を曲げて形を整えて行なうようにしている。これにより、比較的その役枝Ｆａが細い花材Ｆであっても、確実に剣山Ｋに保持することができる。
【０００４】
【特許文献１】実用新案登録第３０７３９９５号公報
【発明の開示】
【発明が解決しようとする課題】
【０００５】
しかしながら、この従来の生け花用役枝保持具Ｈａにあっては、パイプ４が単体であるため、一本ずつ針山３の針２に差込まなければならず手間が掛かる上、剣山Ｋとパイプ４との支持が不安定であるという問題があった。
【０００６】
本発明は、このような問題点に鑑みてなされたもので、一度で複数のパイプを針山に差込むことができるようにして、作業効率を向上させるとともに、針山に対する支持を安定させることのできる生け花用役枝保持具を提供することを目的とする。
【課題を解決するための手段】
【０００７】
このような目的を達成するため、本発明の生け花用役枝保持具は、台座の上面に複数の針を突設させた針山が備えられた剣山の当該針山に差込まれ、花材の役枝が挿入されるパイプを有し、該パイプにより役枝を保持する生け花用役枝保持具において、上記パイプを複数本用い、各パイプをその軸を平行にして集合させた構成とした。
【０００８】
この生け花用役枝保持具を用いるときは、剣山の針山の針間に差込む。この場合、本保持具はパイプの集合になっているので、各パイプが略同時に針山に差し込まれることになり、そのため、従来のように一本一本差し込む場合に比較して、作業効率が向上させられる。
この状態で、花材の細い役枝を適宜の選択したパイプに差し込み、花材を適宜に曲げるなどして形を整える。これにより、役枝は、パイプの内面と針との間に挟んで固定され、あるいは、パイプに囲繞されて保持される。そのため、比較的その役枝が細い花材であっても、確実に剣山に保持することができる。この場合、本保持具はパイプの集合になっているので、互いを支持しあうようになり、一本のパイプが抜け出たり、倒れたりしなくなり、剣山に対して垂直に安定して支持されるようになる。
【０００９】
そして、必要に応じ、上記パイプを、融着，接着，一体成形，連結部材による連結，結束の少なくともいずれかにより集合させた構成とした。これにより、各パイプの支持強度が向上する。また、必要に応じ、上記パイプを、可撓性部材を介して列設した構成とした。これにより、各パイプが互いに撓むので、適宜に全体を撓ませて種々の形状の集合に形成でき、生け花の活け方に合わせて変化させることができ、そのため、汎用性が良くなる。
この場合、各パイプを可撓性のシートに付着させ、該シートを可撓性部材とした構成としたことが有効である。これにより、可撓性のシートにパイプを付着させるだけで製造できるので、製造が容易になる。また、各パイプの支持強度が増し、種々の形状にしても一本のパイプが抜け出たり、倒れたりしなくなり、剣山に対して垂直に安定して支持されるようになる。
【００１０】
更に、必要に応じ、上記パイプの下端を同一平面上に位置させ、上端が斜面状になるように各パイプの長さを異ならせた構成とした。これにより、各パイプの下端が同時に針山に差込まれるようになり、より一層作業効率が向上する。また、各パイプの下端が同一平面状に位置するため、パイプを針に差込む深さが均一になり、それだけ支持が安定する。更に、上端が斜面状に形成されているので、パイプの長さが異なり、花材の大きさやその役枝の長さなどに合わせてパイプを選択することができ、また、役枝の傾きを調節することが可能になることから、生け花の自由度が増す。
【００１１】
そして、必要に応じ、上記パイプを、蜂の巣状に集合させた構成とした。これにより、パイプの集合同士の連結が強固になり、全体の剛性が大きくなることからより一層支持が安定化する。
【００１２】
また、必要に応じ、特定のパイプの下端を他のパイプの下端より下側に突出形成した構成とした。これにより、本保持具を剣山の針山の針間に差込んだ状態では、特定のパイプの下端が剣山の台座に当接し、他のパイプが剣山の台座の表面から離間して接触しないようになることから、他のパイプにおいては花材の役枝をパイプの下端から突出させることができ、そのため、水揚げが良くなり、花材をより長く綺麗に保つことができるようになる。
【００１３】
更に、必要に応じ、上記パイプの孔径Ｄを、上記針山の針の外径より大きくかつ４本以下の針に差込まれる大きさに設定した構成としている。
具体的には、上記パイプの孔径Ｄを３ｍｍ≦Ｄ≦１５ｍｍにしている。
これにより、生け花をする際に必要とするある程度の本数のパイプを針山に差込むことができ、かつ、パイプの支持を安定させることができる適切な孔径を得ることができる。また、パイプを針よりも長く設定することにより、役枝を保持するための適切な長さを得ることができる。
【００１４】
そして、必要に応じ、上記パイプを、プラスチックで形成した構成とした。これにより、ストローと同様の材料を用いて製造することができ、製造が容易になるとともに安価に製造することができる。また、プラスチックなので、軽量で取り扱いも容易になり、耐水性と耐久性を持つことができ、水中においても劣化することがなく、長期的に使用することができる。
【発明の効果】
【００１５】
本発明の生け花用役枝保持具によれば、パイプの集合になっているので、各パイプが略同時に針山に差し込まれることになり、そのため、従来のように一本一本差し込む場合に比較して、作業効率を大幅に向上させることができる。また、花材の役枝をパイプに差し込んでパイプの内面と針との間に挟んで固定することができ、あるいは、パイプで囲繞して保持することができ、そのため、比較的その役枝が細い花材であっても、確実に剣山に保持することができる。更に、本保持具はパイプの集合になっているので、互いを支持しあうようになり、一本のパイプが抜け出たり、倒れたりしなくなり、剣山に対して垂直に安定して支持することができ、また、花材の支持も安定化させることができる。
【発明を実施するための最良の形態】
【００１６】
以下、添付図面に基づいて本発明の実施の形態に係る生け花用役枝保持具を説明する。尚、上記と同様のものには同一の符号を付して説明する。
図１乃至図７には、本発明の第一の実施の形態に係る生け花用役枝保持具Ｙａを示している。この実施の形態に係る生け花用役枝保持具Ｙａは、剣山Ｋに差込まれる。剣山Ｋは、台座１の上面に複数の針２を突設させた針山３が備えられてなる。
【００１７】
生け花用役枝保持具Ｙａは、花材Ｆの役枝Ｆａが挿入されるパイプ１０を有し、このパイプ１０を複数本用い、各パイプ１０をその軸を平行にして集合させて構成される。
詳しくは、役枝保持具Ｙａは、パイプ１０を、可撓性部材１１を介して列設してなる。即ち、パイプ１０を、可撓性部材１１としての可撓性のシート１２に接着剤を介して付着させる。パイプ１０は、任意の距離間を持って列設させ、列設させた集合体の片側側面を可撓性のシート１２に付着させる。このとき、可撓性のシート１２は、役枝保持具Ｙａの両端に位置するパイプ１０を巻くようにして付着させる。可撓性のシート１２にパイプ１０を接着剤を介して付着させるだけで製造できるので、製造が容易になる。更に、パイプ１０の下端１３を同一平面上に位置させ、上端１４が斜面状になるように各パイプ１０の長さを異ならせて形成する。パイプ１０の上端１４は、列設させ、可撓性のシート１２に付着させてから鋏を用いて切断し、斜面状に形成する。
【００１８】
また、パイプ１０は、針山３の針２の外径より大きくかつ４本以下の針２が差込まれる大きさに設定する。具体的には、このパイプ１０の孔径Ｄは、３ｍｍ≦Ｄ≦１５ｍｍの範囲内で適切な大きさに調整する。また、パイプ１０の長さを、剣山Ｋの針２の長さよりも長く形成して構成する。このとき、役枝Ｆａを保持でき、役枝保持具Ｙａを機能させる長さに調整する。更に、パイプ１０を、プラスチックで形成する。鋏で切断できる適切な硬さのプラスチックを用いて形成する。
【００１９】
従って、この実施の形態に係る生け花用役枝保持具を用いて生け花を行なう場合は、以下のようになる。花材Ｆとしては、例えば山野草等の役枝Ｆａが比較的細矩、針２に刺さらないようなあるいは刺さっても崩れてしまうようなものについて生け花を行なう場合である。
【００２０】
先ず、生け花用役枝保持具Ｙａを、例えば、図５に示すように、丸めて蜂の巣状にする。あるいは、図６に示すように、役枝保持具Ｙａを略Ｕ字状に湾曲させ、あるいはまた、図７に示すように、Ｓ字状に蛇行させるなど、適宜の形にして用いる。役枝保持具Ｙａは、可撓性のシート１２に付着されているため、適宜に全体を撓ませることで容易に形状を変えることができ、そのため、種々の様式に合わせた形状をとることができる。即ち、適宜に全体を撓ませて種々の形状の集合に形成でき、生け花の活け方に合わせて変化させることができ、そのため、汎用性が良くなる。
【００２１】
次に、パイプ１０の下端１３を剣山Ｋの針山３の針２に対して差込む。このとき、本保持具Ｙａはパイプ１０の集合になっているので、各パイプ１０が略同時に針２に差込まれることになり、一度に複数のパイプ１０が差込まれることになり、そのため、従来のように一本一本差し込む場合に比較して、作業効率が向上する。
【００２２】
この状態で、花材Ｆの役枝Ｆａを適宜の選択したパイプ１０に差し込み、花材Ｆを適宜に曲げるなどして形を整える。これにより、役枝Ｆａは、パイプ１０の内面と針２との間に挟んで固定され、あるいは、パイプ１０に囲繞されて保持される。そのため、剣山Ｋに直接役枝Ｆａを刺さなくても良くなり、役枝Ｆａの細い花材Ｆでも、容易に生けられる。また、比較的その役枝Fａが細い花材Ｆであっても、確実に剣山Ｋに保持することができる。
【００２３】
また、この場合、役枝保持具Ｙａの上端１４は斜面状になっており、各パイプ１０の長さが異なっているので、パイプ１０の長さが異なり、花材Ｆの大きさやその役枝Ｆａの長さなどに合わせてパイプ１０を選択することができ、また、役枝Ｆａの傾きを調節することが可能になることから、生け花の自由度が増す。
【００２４】
花材Ｆをパイプ１０に挿入した状態では、図４に示すように、役枝Ｆａはパイプ１０の内面と針２との間に挟んで固定され、あるいは、パイプ１０に囲繞されて保持されるので、比較的その役枝Ｆａが細い花材Ｆであっても、確実に剣山Ｋに保持することができる。この場合、本保持具Ｙａはパイプ１０の集合になっているので、互いを支持しあうようになり、一本のパイプ１０が抜け出たり、倒れたりしなくなり、剣山Ｋに対して垂直に安定して支持されるようになる。
【００２５】
図８乃至図１０には、本発明の第二の実施の形態に係る役枝保持具Ｙｂを示している。この役枝保持具Ｙｂは、パイプ１０を蜂の巣状に集合させ、特定のパイプ１０（Ａ）の下端１３を他のパイプ１０の下端１３より下側に突出形成してなる。この特定のパイプ１０（Ａ）を蜂の巣状の中心となるように形成している。他のパイプ１０は、その軸を平行にして中心のパイプ１０（Ａ）に隣接し、全て同じ長さに形成されている。また、全てのパイプ１０の上端１４が同一平面上に位置するように形成される。更に、この状態で、外側から片面が粘着性を持つシート１６で巻いて接着固定される。更にまた、各パイプ１０を接着剤を介して固定する。
【００２６】
パイプ１０は、上記と同様に、プラスチックで形成され、針山３の針２の外径より大きくかつ４本以下の針２が差込まれる大きさに設定されている。具体的には、このパイプ１０の孔径Ｄは、３ｍｍ≦Ｄ≦１５ｍｍの範囲内で適切な大きさに調整する。また、少なくとも特定のパイプ１０（Ａ）の長さを、剣山Ｋの針２の長さよりも長く形成して構成する。各パイプ１０は、役枝Ｆａを保持でき、役枝保持具Ｙａを機能させる長さに調整する。更に、パイプ１０を、プラスチックで形成する。鋏で切断できる適切な硬さのプラスチックを用いて形成する。
【００２７】
従って、この第二の実施の形態に係る生け花用役枝保持具を用いて生け花を行なう場合は、特定のパイプ１０（Ａ）を剣山Ｋの針山３に差込み固定する。この場合、本保持具Ｙｂはパイプ１０の集合になっているので、各パイプ１０が略同時に針２に差込まれることになり、一度に複数のパイプ１０が差込まれることになり、そのため、従来のように一本一本差し込む場合に比較して、作業効率が向上する。
【００２８】
この状態で、図１０に示すように、花材Ｆの役枝Ｆａをパイプ１０に挿入し、花材Ｆを適宜に曲げるなどして形を整える。これにより、役枝Ｆａは、パイプ１０の内面と針２との間に挟んで固定され、あるいは、パイプ１０に囲繞されて保持される。そのため、比較的その役枝Ｆａが細い花材Ｆであっても、確実に剣山Ｋに保持することができる。この場合、本保持具Ｙｂはパイプ１０の集合になっているので、互いを支持しあうようになり、一本のパイプ１０が抜け出たり、倒れたりしなくなり、剣山Ｋに対して垂直に安定して支持されるようになる。
【００２９】
また、この状態では、図１０に示すように、特定のパイプ１０（Ａ）の下端が剣山Ｋの台座１に当接し、他のパイプ１０が剣山Ｋの台座１の表面から離間して接触しないようになることから、他のパイプ１０においては花材Ｆの役枝Ｆａをパイプ１０の下端から突出させることができ、そのため、水揚げが良くなり、花材Ｆをより長く綺麗に保つことができるようになる。
【００３０】
尚、上記実施の形態において、役枝保持具Ｙａは、連結部材１８を可撓性シートで形成したが、図１１（ａ）に示すようなピン型の連結部材１８を用いてもよく、また、役枝保持具Ｙｂは、片面が粘着性を持つシートで結束させた形状としたが、図１１（ｂ）に示すように、紐などで結束させても良い。また、集合の形態としては、必ずしも上述した構成に限定されるものではなく、図１１（ｃ）に示すように、各パイプを融着させて集合形成しても良く、更に、図１１（ｄ）に示すように、接着剤１９を介して接合して集合形成しても良く、更にまた、図１１（ｅ）に示すように、複数のパイプを型等で一体形成しても良く、要するにパイプを集合させた形状であれば、どのような手段で集合させても良く、適宜変更して差支えない。
【００３１】
尚、上記実施の形態において、役枝保持具Ｙｂの特定のパイプ１０（Ａ）を、蜂の巣状の中心となる一本のパイプで構成したが、必ずしもこれに限定されるものではなく、複数本用いても、役枝保持具Ｙｂの支持が安定するように、突出させるパイプ１０（Ａ）の位置をバランス良く設定した形態であれば、適宜変更して差支えない。
また、上記実施の形態において、花材としては山野草に限定されるものではなく、生け花に使用する花材であれば、適宜変更して差支えないのは言うまでもない。
【図面の簡単な説明】
【００３２】
【図１】本発明の第一の実施の形態に係る生け花用役枝保持具を剣山への取付け状態及びその使用状態とともに示す断面図である。
【図２】本発明の第一の実施の形態に係る生け花用役枝保持具を示す斜視図である。
【図３】本発明の第一の実施の形態に係る生け花用役枝保持具を示す平面図である。
【図４】本発明の第一の実施の形態に係る生け花用役枝保持具を剣山への取付け状態及びその使用状態とともに示す拡大断面図である。
【図５】本発明の第一の実施の形態に係る生け花用役枝保持具を丸めて蜂の巣状にした状態を示す平面図である。
【図６】本発明の第一の実施の形態に係る生け花用役枝保持具を略Ｕ字状にした状態を示す平面図である。
【図７】本発明の第一の実施の形態に係る生け花用役枝保持具をＳ字状にした状態を示す平面図である。
【図８】本発明の第二の実施の形態に係る生け花用役枝保持具を示す斜視図である。
【図９】本発明の第二の実施の形態に係る生け花用役枝保持具を示す平面図である。
【図１０】本発明の第二の実施の形態に係る生け花用役枝保持具を剣山への取付け状態及びその使用状態とともに示す拡大断面図である。
【図１１】本発明の実施の形態に係る生け花用役枝保持具において、パイプの別の連結の仕方を示す拡大平面断面図(ａ)(ｂ)(ｃ)(ｄ)(ｅ)である。
【図１２】従来の生け花用役枝保持具の一例を示す図である。
【符号の説明】
【００３３】
Ｙａ  生け花用役枝保持具
Ｙｂ  生け花用役枝保持具
Ｆ  花材
Ｆａ  役枝
Ｋ  剣山
１  台座
２  針
３  針山
１０  パイプ
１０（Ａ）  特定のパイプ
１１  可撓性部材
１２  可撓性シート
１３  下端
１４  上端
１６  シート
１７  花器
１８  連結部材
１９  接着剤
【図１】
2008125735.tif 000003
【図２】
2008125735.tif 000004
【図３】
2008125735.tif 000005
【図４】
2008125735.tif 000006
【図５】
2008125735.tif 000007
【図６】
2008125735.tif 000008
【図７】
2008125735.tif 000009
【図８】
2008125735.tif 000010
【図９】
2008125735.tif 000011
【図１０】
2008125735.tif 000012
【図１１】
2008125735.tif 000013
【図１２】
2008125735.tif 000014